(57)【特許請求の範囲】
【請求項１】
電気分解方式のバラスト水処理装置が内部に設けられた船舶において、
バラストタンクが設けられた爆発危険区域とバラスト水処理装置が設けられた安全区域とを画成する隔壁と、
前記隔壁を直線状に通過してバラスト水処理装置とバラストタンクとを繋ぎ合わせる塩素注入配管と、
前記塩素注入配管に設けられ、塩素注入作業が停止されても、前記塩素注入配管に水を流送して前記塩素注入配管の上に正圧が維持されるようにする押圧装置と、
を備える船舶の爆発防止のための電気分解方式のバラスト水処理装置。
【請求項２】
前記隔壁を介して爆発危険区域の塩素注入配管にはバラストタンクへの流体の流送を制御する開閉弁が設けられ、安全区域の塩素注入配管には逆止弁が設けられ、
前記押圧装置は、逆止弁と開閉弁との間における塩素注入配管に設けられていることを特徴とする請求項１に記載の船舶の爆発防止のための電気分解方式のバラスト水処理装置。
【請求項３】
前記押圧装置は、
流入弁が設けられ、塩素注入配管の位置よりも高い位置に設けられた開放型タンクと、開放型タンクの水位を測定する水位センサーと、開放型タンクと塩素注入配管とを繋ぎ合わせる押圧配管と、押圧配管に設けられて塩素注入配管への水の流送を制御する押圧弁と、を備えることを特徴とする請求項１または２に記載の船舶の爆発防止のための電気分解方式のバラスト水処理装置。
【請求項４】
前記押圧装置は、
流入弁が設けられ、塩素注入配管の位置よりも低い位置に設けられた密閉型タンクと、密閉型タンクの水位を測定する水位センサーと、密閉型タンクと塩素注入配管とを繋ぎ合わせる押圧配管と、押圧配管に設けられて塩素注入配管への水の流送を制御する押圧弁と、密閉型タンクに設けられて密閉型タンクの内部圧力を制御する圧力センサー及び圧縮空気供給装置を備えることを特徴とする請求項１または２に記載の船舶の爆発防止のための電気分解方式の船舶バラスト水処理装置。
【請求項５】
押圧装置の開放型タンクに水を貯水する貯水ステップと、
水位センサーが開放型タンクの水位を測定する水位測定ステップと、
開放型タンクの水位が水位センサーによって設定された水位と等しいか大きければ、流入弁はオフになって流入配管の管路を閉鎖し、開閉弁はオンになって塩素注入配管の管路を開放する塩素注入配管開放ステップと、
塩素注入配管の管路が開放されれば、電気分解装置からバラストタンクに塩素を注入する塩素注入ステップと、
バラストタンクへの塩素の注入が完了すれば、塩素注入配管の管路を閉鎖する閉鎖ステップと、
押圧装置の押圧配管管路を開放して開放型タンクの水を塩素注入配管に流送する押圧ステップと、
を含む船舶の爆発防止のための電気分解方式のバラスト水処理装置を用いた船舶の爆発防止制御方法。
【請求項６】
押圧装置の密閉型タンクに水を貯水する貯水ステップと、
水位センサーが密閉型タンクの水位を測定する水位測定ステップと、
密閉型タンクの水位が水位センサーによって設定された水位と等しいか大きければ、流入弁はオフになって流入配管を閉鎖する流入配管閉鎖ステップと、
流入配管が閉鎖されれば、圧縮空気供給装置及び圧力センサーが密閉型タンクの内部圧力を大気圧よりも高く維持する圧力維持ステップと、
圧力センサーが密閉型タンクの内部圧力と設定された圧力とを比較して、密閉型タンクの内部圧力が設定された圧力よりも高ければ、開閉弁をオンにして塩素注入配管の管路を開放する塩素注入配管開放ステップと、
塩素注入配管の管路が開放されれば、電気分解装置からバラストタンクに塩素を注入する塩素注入ステップと、
バラストタンクへの塩素の注入が完了すれば、塩素注入配管の管路を閉鎖する閉鎖ステップと、
押圧装置の押圧配管管路を開放して密閉型タンクの水を塩素注入配管に流送する押圧ステップと、
を含む船舶の爆発防止のための電気分解方式のバラスト水処理装置を用いた船舶の爆発防止制御方法。
【発明の詳細な説明】
【技術分野】
【０００１】
本発明は、船舶の爆発防止のための電気分解方式のバラスト水処理装置及びこれを用いた船舶の爆発防止制御方法に係り、さらに詳しくは、塩素注入配管の流路を最小化させ、爆発危険区域から安全区域に漏泄物が逆流しないようにした船舶の爆発防止のための電気分解方式のバラスト水処理装置及びこれを用いた船舶の爆発防止制御方法に関する。
【背景技術】
【０００２】
最近、国際海事機関（ＩＭＯ）に関する協約の採択による船舶のバラスト水処理の義務付けが期待され、これに伴い、バラスト水処理のための種々の方式が開発されている。中でも、電気分解を用いてバラスト水処理を行う方式が多数開発されている。
【０００３】
一般に、電解槽に海水を流し、電極に直流電源を供給すれば、正極で塩素が発生する。
【０００４】
上述したように、電気分解を用いてバラスト水を処理することは、電解槽で発生する塩素（次亜塩素酸）を船舶バラスト水に添加してバラスト水内に存在する動物性プランクトン、植物性プランクトン及びバクテリアなどを死滅する方式である。
【０００５】
一方、船舶は運搬媒体によって区別されるが、可燃性ガスが発生するカーゴを積み込む船舶（例えば、オイル、ガス、石油化学製品を積み込むタンク船、石炭を運搬するばら積船（バルクキャリア）など）は、図１Ａに示すように、隔壁１によって安全区域Ａ１と爆発危険区域Ａ２とに画成可能である。
【０００６】
このとき、爆発危険区域Ａ２は、その区域内に用いられる電気装置または機械装置に対して特別な形式を用いることが求められる。
【０００７】
また、爆発危険区域Ａ２内においても、図１Ｂに示すように、貨物油タンクＢ１、バラスト水タンクＢ２、ポンプ室Ｂ３、燃料油タンクＢ４といった区域に画成されて危険区域の等級が異なるように定義される。
【０００８】
一方、前記船舶内にも、バラスト水処理のための電気分解方式のバラスト水処理装置が設けられる。
【０００９】
前記バラスト水処理装置は、大きく、電気分解装置１０とこの電気分解装置１０から生成された塩素（次亜塩素酸）が流入するバラストタンクＢ２と、電気分解装置１０とバラストタンクＢ２とを繋ぎ合わせる塩素注入配管２０とに分けられる。
【００１０】
前記電気分解装置１０は安全区域Ａ１に属するエンジンルームに設けられ、バラストタンクＢ２は、上述したように、爆発危険区域Ａ２内に設けられる。また、塩素注入配管２０は、爆発危険区域Ａ２内に設けられたバラストタンクＢ２に接続される。
【００１１】
このとき、塩素注入配管２０のうち、安全区域Ａ１と爆発危険区域Ａ２に配置されたそれぞれの個所には、図２に示すように、逆止弁３０が設けられて爆発危険区域Ａ２から安全区域Ａ１に塩素注入配管２０に沿って漏泄物が逆流することを防止する。
【００１２】
このような構成を有するバラスト水処理装置は、電気分解装置１０から生成された塩素が塩素注入配管２０に沿ってバラストタンクＢ２に流入してバラスト水内に存在する生物を死滅する。
【００１３】
しかしながら、前記従来のバラスト水処理装置は、下記の問題点を抱えていた。
【００１４】
爆発危険区域Ａ２から漏泄物が安全区域Ａ１に伝搬されることにより、安全区域Ａ１内に設けられた電気分解装置１０などの機械装置を爆発させる危険をきたす可能性があるという問題があった。
【００１５】
もちろん、逆止弁３０などを設けて爆発危険区域Ａ２からの漏泄物の逆流を遮断しているが、前記逆止弁３０だけで安全区域Ａ１への漏泄物の伝搬を防止するには限界があり、このような設計は船級でも許していないのが現状である。
【００１６】
上記の問題を解消するために、図３及び図４に示すように、電気分解装置１０を船舶の甲板に設けたり、塩素注入配管２０を隔壁１を介してバラストタンクＢ２に直結することなく、船舶の外部の甲板を通って迂回してバラストタンクＢ２に接続していた。
【００１７】
しかしながら、上記の方案は、電気分解装置１０の設置区域からバラストタンクＢ２までの距離が増えるため、塩素注入配管２０が設置し難く、塩素のバラストタンクＢ２の内部への到達時間が長引くため機能上の難点があった。
【００１８】
さらに、塩素注入配管２０の設置のための資材費及び設置コストが嵩張って経済性に劣るという問題があった。
【発明の概要】
【発明が解決しようとする課題】
【００１９】
本発明は上記の問題点を解消するために案出されたものであり、その目的は、電気分解装置とバラストタンクとの間における塩素注入配管の流路の長さを最小化させ、電気分解装置とバラストタンクとの間の流路に押圧装置を設けて、押圧装置をしてバラストタンクへの流路に正圧を形成できるようにした船舶の爆発防止のための電気分解方式の船舶バラスト水処理装置及びこれを用いた船舶の爆発防止制御方法を提供するところにある。
【課題を解決するための手段】
【００２０】
本発明は、上記の目的を達成するために、電気分解方式のバラスト水処理装置が内部に設けられた船舶において、バラストタンクが設けられた爆発危険区域とバラスト水処理装置が設けられた安全区域とを画成する隔壁と、前記隔壁を直線状に通過してバラスト水処理装置とバラストタンクとを繋ぎ合わせる塩素注入配管と、前記塩素注入配管に設けられ、塩素注入作業が停止されても、前記塩素注入配管に水を流送して前記塩素注入配管の上に正圧が維持されるようにする押圧装置と、を備える船舶の爆発防止のための電気分解方式のバラスト水処理装置を提供する。
【００２１】
このとき、前記隔壁を介して爆発危険区域の塩素注入配管にはバラストタンクへの流体の流送を制御する開閉弁が設けられ、安全区域の塩素注入配管には逆止弁が設けられ、前記押圧装置は、逆止弁と開閉弁との間における塩素注入配管に設けられていることが好ましい。
【００２２】
また、前記押圧装置は、流入弁が設けられ、塩素注入配管の位置よりも高い位置に設けられた開放型タンクと、開放型タンクの水位を測定する水位センサーと、開放型タンクと塩素注入配管とを繋ぎ合わせる押圧配管と、押圧配管に設けられて塩素注入配管への水の流送を制御する押圧弁と、を備えていてもよく、前記押圧装置は、流入弁が設けられ、塩素注入配管の位置よりも低い位置に設けられた密閉型タンクと、密閉型タンクの水位を測定する水位センサーと、密閉型タンクと塩素注入配管とを繋ぎ合わせる押圧配管と、押圧配管に設けられて塩素注入配管への水の流送を制御する押圧弁と、密閉型タンクに設けられて密閉型タンクの内部圧力を制御する圧力センサー及び圧縮空気供給装置を備えていてもよい。
【００２３】
また、本発明の他の局面によれば、上記の目的を達成するために、本発明は、押圧装置の開放型タンクに水を貯水する貯水ステップと、水位センサーが開放型タンクの水位を測定する水位測定ステップと、開放型タンクの水位が水位センサーによって設定された水位と等しいか大きければ、流入弁はオフになって流入配管の管路を閉鎖し、開閉弁はオンになって塩素注入配管の管路を開放する塩素注入配管開放ステップと、塩素注入配管の管路が開放されれば、電気分解装置からバラストタンクに塩素を注入する塩素注入ステップと、バラストタンクへの塩素の注入が完了すれば、塩素注入配管の管路を閉鎖する閉鎖ステップと、押圧装置の押圧配管管路を開放して開放型タンクの水を塩素注入配管に流送する押圧ステップと、を含む船舶の爆発防止のための電気分解方式のバラスト水処理装置を用いた船舶の爆発防止制御方法を提供する。
【００２４】
さらに、本発明のさらに他の局面によれば、上記の目的を達成するために、本発明は、押圧装置の密閉型タンクに水を貯水する貯水ステップと、水位センサーが密閉型タンクの水位を測定する水位測定ステップと、密閉型タンクの水位が水位センサーによって設定された水位と等しいか大きければ、流入弁はオフになって流入配管を閉鎖する流入配管閉鎖ステップと、流入配管が閉鎖されれば、圧縮空気供給装置及び圧力センサーが密閉型タンクの内部圧力を大気圧よりも高く維持する圧力維持ステップと、圧力センサーが密閉型タンクの内部圧力と設定された圧力とを比較して、密閉型タンクの内部圧力が設定された圧力よりも高ければ、開閉弁をオンにして塩素注入配管の管路を開放する塩素注入配管開放ステップと、塩素注入配管の管路が開放されれば、電気分解装置からバラストタンクに塩素を注入する塩素注入ステップと、バラストタンクへの塩素の注入が完了すれば、塩素注入配管の管路を閉鎖する閉鎖ステップと、押圧装置の押圧配管管路を開放して密閉型タンクの水を塩素注入配管に流送する押圧ステップと、を含む船舶の爆発防止のための電気分解方式のバラスト水処理装置を用いた船舶の爆発防止制御方法を提供する。
【発明の効果】
【００２５】
本発明に係る船舶の爆発防止のための電気分解方式のバラスト水処理装置及びこれを用いた船舶の爆発防止制御方法は、下記の効果がある。
【００２６】
バラストタンクへの塩素の注入が完了して塩素注入配管の管路が閉鎖されても、塩素注入配管に設けられた押圧装置が水を塩素注入配管に流送することにより、前記塩素注入配管には正圧が維持可能になる。
【００２７】
これにより、塩素注入配管内には、塩素の注入が行われるとき及び塩素の注入が停止するときの両方に正圧が形成されるので、爆発危険区域から漏泄物が塩素注入配管に沿って安全区域に逆流することは発生しないという効果がある。
【００２８】
さらに、爆発危険区域から漏泄物が逆流して機械装置を爆発させることを防止するために、塩素注入配管を甲板に設けたり電気分解装置を船舶の甲板に設けたりする必要がなくなるので、効率性が上がるという効果がある。
【００２９】
すなわち、安全区域には電気分解装置が設けられ、隔壁により画成された爆発危険区域にはバラストタンクが設けられた状態で、電気分解装置に設けられた塩素注入配管を隔壁に通させてバラストタンクに直結することにより、塩素が流送する流路の長さが最小化される。
【００３０】
これにより、資材コストが節減され、配管を設置しやすく、配管に沿って流送される塩素がバラストタンクに速やかに到達することができるという機能上の効果が得られる。
【図面の簡単な説明】
【００３１】
【図１Ａ】船舶の爆発危険区域と安全区域を示す概略図である。
【図１Ｂ】船舶の爆発危険区域を区分して示す概略図である。
【図２】従来の電気分解装置とバラストタンクとの間の流体の流れを制御するためのシステムを概略的に示す構成図である。
【図３】従来の電気分解装置とバラストタンクとの間に設けられた塩素注入配管の設置例を示す概略図である。
【図４】従来の電気分解装置とバラストタンクとの間に設けられた塩素注入配管の設置例を示す概略図である。
【図５】本発明の好適な実施形態による電気分解装置とバラストタンクとの間に設けられた塩素注入配管の設置を示す概略図である。
【図６】本発明の好適な実施形態による船舶バラスト水処理装置を示す概略図である。
【図７】本発明の好適な実施形態による船舶バラスト水処理装置を用いて爆発防止を制御する方法を示す手順図である。
【図８】本発明の他の実施形態による船舶バラスト水処理装置を示す概略図である。
【図９】本発明の他の実施形態による船舶バラスト水処理装置を用いて爆発防止を制御する方法を示す手順図である。
【発明を実施するための形態】
【００３２】
本明細書及び請求範囲に用いられた用語や単語は、通常的または辞書的な意味に限定して解釈されず、発明者は自分の発明を最も最良の方法により説明するために用語の概念を適切に定義することができるという原則に即して本発明の技術的思想に見合う意味と概念として解釈さるべきである。
【００３３】
以下、添付の図５から図７に基づき、本発明の好適な実施形態による船舶の爆発防止のための電気分解方式の船舶バラスト水処理装置（以下、「バラスト水処理装置」と称する。）について説明する。
【００３４】
説明に先立って、従来と同じ構成要素には同じ符号を付する。
【００３５】
バラスト水処理装置は、電気分解装置１０と、バラストタンクＢ２と、塩素注入配管２０と、押圧装置１００と、を備える。電気分解装置１０は、海水を電気分解して塩素（次亜塩素酸）を生成し、安全区域Ａ１に設けられる。
【００３６】
また、バラストタンクＢ２はバラスト水を収容し、爆発危険区域Ａ２に設けられる。このとき、安全区域Ａ１と爆発危険区域Ａ２は、隔壁１によって画成される。
【００３７】
また、塩素注入配管２０は、電気分解装置１０から生成された塩素がバラストタンクＢ２内に流送される管路であり、塩素注入配管２０の一方の端部は電気分解装置１０に接続され、塩素注入配管２０の他方の端部はバラストタンクＢ２に接続される。
【００３８】
このとき、塩素注入配管２０は、流路の長さが最小となるように、図５に示すように、隔壁１を直線状に直ちに通過してバラストタンクＢ２に接続される。
【００３９】
塩素注入配管２０のうち、安全区域Ａ１に配置された個所には逆止弁３０が設けられ、爆発危険区域Ａ２に配置された個所には開閉弁４０が設けられる。
【００４０】
次いで、押圧装置１００は、爆発危険区域Ａ２から漏泄物が安全区域Ａ１に逆流することを防止する役割を果たし、安全区域Ａ１に設けられる。
【００４１】
押圧装置１００は、図６に示すように、塩素注入配管２０に連設され、バラストタンクＢ２への塩素の注入が停止されても、前記塩素注入配管２０の内部に正圧が形成されるようにして爆発危険区域Ａ２から塩素注入配管２０を介して漏泄物が逆流しないようにすることを技術的な特徴とする。
【００４２】
以下、前記押圧装置１００について詳細に説明する。押圧装置１００は、バラストタンクＢ２への塩素の注入が停止したときに、水を塩素注入配管２０に流送して前記塩素注入配管２０の内部に正圧が形成されるようにし、逆止弁３０と開閉弁４０との間に設けられる。
【００４３】
これにより、塩素注入配管２０の内部は常に流体が流送されているか、あるいは、留まっている状態を維持することにより、爆発危険区域Ａ２から漏泄物が発生しても、前記漏泄物は塩素注入配管２０内の流体によって遮断されて安全区域Ａ１に逆流することは発生しない。
【００４４】
押圧装置１００は、開放型タンク１１０と、水位センサー１２０と、押圧配管１３０と、押圧弁１４０と、を備える。開放型タンク１１０は、水が貯水されるものであり、開放型タンク１１０の一方の側には水が流入する管路である流入配管１１１と、流入配管１１１を開閉する流入弁１１２と、が設けられる。このとき、開放型タンク１１０は、塩素注入配管２０の位置よりも高い個所に押圧装置１００が設けられる場合に提供されることが好ましい。
【００４５】
押圧装置１００が塩素注入配管２０の位置よりも低い位置に設けられる必要がある場合には、密閉型タンクを備える押圧装置であることが好ましく、この密閉型押圧装置については後述する。
【００４６】
一方、開放型タンク１１０には、貯水量を測定するための水位センサー１２０が設けられる。水位センサー１２０は、開放型タンク１１０に流入した水の水位を測定して一定量の水位が感知されれば、制御部（図示せず）に、流入弁１１２をオフにして流入配管１１１の管路を閉鎖することを指示する。
【００４７】
また、押圧配管１３０は、開放型タンク１１０と塩素注入配管２０とを繋ぎ合わせ、開放型タンク１１０の水が塩素注入配管２０に流送される管路の役割を果たす。このとき、押圧配管１３０には、この押圧配管１３０の管路を開閉する押圧弁１４０が設けられる。
【００４８】
以下、添付図面に基づき、上記の構成を有する本発明の好適な実施形態によるバラスト水処理装置の作用について説明する。
【００４９】
押圧装置１００の開放型タンク１１０に水を貯水する（ステップＳ１０）。このとき、制御部によって流入弁１１２はオンになって流入配管１１１の管路を開放し、押圧弁１４０はオフになって押圧配管１３０の管路を閉鎖する。
【００５０】
次いで、流入配管１１１を介して開放型タンク１１０に水が流入すれば、水位センサー１２０は開放型タンク１１０の水位量を測定する（ステップＳ３０）。次いで、開放型タンク１１０の水位が水位センサー１２０によって設定された水位と等しいか大きければ、流入弁１１２はオフになって流入配管１１１の管路を閉鎖し、開閉弁４０はオンになって塩素注入配管２０の管路を開放する（ステップＳ５０）。
【００５１】
次いで、電気分解装置１０から生成された塩素は塩素注入配管２０の管路に沿ってバラストタンクＢ２に流入する（ステップＳ７０）。次いで、バラストタンクＢ２への塩素の注入が完了すれば、開閉弁４０はオフになって前記開閉弁４０とバラストタンクＢ２との間の塩素注入配管２０の管路を閉鎖することにより、バラストタンクの内部への塩素の流入は停止される。
【００５２】
このとき、押圧弁１４０はオンになって押圧配管１３０の管路を開放し、押圧配管１３０の管路が開放されることにより、開放型タンク１１０に貯水された水は押圧配管１３０に沿って塩素注入配管２０に流送する（ステップＳ９０）。
【００５３】
このとき、押圧装置１００は、塩素注入配管２０よりも高い位置に設けられているため、前記水は塩素注入配管２０に自然流下の方式により流送される。
【００５４】
一方、水は、開閉弁４０がオフとなっているため、バラストタンクＢ２に流入することはなく、押圧配管１３０と開閉弁４０との間の塩素注入配管２０に留まっている状態となる。
【００５５】
すなわち、前記水は、前記塩素注入配管２０の管路に留まりながら、バラストタンクＢ２に向かって正圧を形成しているのである。
【００５６】
塩素注入作業が停止されて塩素注入配管２０の管路の内部が空いた状態であっても、押圧装置１００は塩素注入配管２０の管路に水を流送することにより、塩素注入配管２０の管路には常に水が満たされていて正圧を形成しているのである。
【００５７】
これにより、バラストタンクＢ２が設けられた爆発危険区域Ａ２から漏泄物が発生しても、塩素注入配管２０に沿って漏泄物が逆流することは発生しない。
【００５８】
また、上述したように、爆発危険区域Ａ２の漏泄物が安全区域Ａ１に逆流する虞がないため、安全区域Ａ１に電気分解装置１０を設けることができ、隔壁１を介して塩素注入配管２０をバラストタンクＢ２に直線状に直結することができて塩素注入流路の長さを最小化させることができるという技術的特徴がある。
【００５９】
一方、これまで説明した本発明の好適な実施形態は、押圧装置１００が塩素注入配管２０よりも高い位置に設けられている場合を想定している。
【００６０】
しかしながら、船舶の内部の設置環境に応じて、押圧装置１００が塩素注入配管２０よりも低い位置に設けられてもよい。
【００６１】
このように押圧装置１００が塩素注入配管２０よりも低い位置に設けられる場合には、押圧装置１００の水を自然流下式ではなく、人為的に塩素注入配管２０に流送する必要がある。
【００６２】
このために、圧力手段付き密閉型タンクが提供され、これを本発明の他の実施形態として説明する。
【００６３】
説明に先立って、本発明の好適な実施形態と同じ構成要素については同じ符号を付して詳細な説明は省く。
【００６４】
本発明の他の実施形態に係るバラスト水処理装置は、電気分解装置１０と、バラストタンクＢ２と、塩素注入配管２０と、押圧装置１００と、を備える。このとき、押圧装置１００は、図８に示すように、密閉型タンク１５０と、水位センサー１２０と、押圧配管１３０と、押圧弁１４０と、圧力センサー１６０と、圧縮空気供給装置１７０と、を備える。
【００６５】
前記密閉型タンク１５０の内部圧力は、圧力センサー１６０と圧縮空気供給装置１７０によって常に設定圧力以上に維持されるようにする。
【００６６】
一方、図示はしないが、密閉型タンク１５０の内部には隔膜を設けて空気の流入を遮断することにより、腐食の防止効果を期待することができる。
【００６７】
以下、図９に基づき、上記の構成を有する本発明の他の実施形態によるバラスト水処理装置の作用について説明する。
【００６８】
押圧装置１００の密閉型タンク１５０に水を貯水する（ステップＳ１０）。このとき、流入弁１１２はオンになって流入配管１１１を開放し、押圧弁１４０はオフになって押圧配管１３０を閉鎖する。
【００６９】
次いで、流入配管１１１を介して密閉型タンク１５０に水が流入すれば、水位センサー１２０は密閉型タンク１５０の水位量を測定する（ステップＳ２０）。次いで、密閉型タンク１５０の水位が水位センサー１２０によって設定された水位と等しいか大きければ、流入弁１１２はオフになって流入配管１１１を閉鎖する（ステップＳ２１）。
【００７０】
次いで、圧縮空気供給装置１７０を用いて密閉型タンク１５０の内部圧力を高める。次いで、圧力センサー１６０は、密閉型タンク１５０の内部圧力と設定された圧力とを比較する（ステップＳ２３）。
【００７１】
次いで、密閉型タンク１５０の内部圧力が設定された圧力よりも高ければ、制御部に、塩素注入配管２０の開閉弁４０をオンにして塩素注入配管２０の管路を開放することを指示する（Ｓ２４）。
【００７２】
次いで、電気分解装置１０から生成された塩素は塩素注入配管２０に沿ってバラストタンクＢ２に流入する（ステップＳ７０）。
【００７３】
次いで、バラストタンクＢ２への塩素の注入が完了すれば、開閉弁４０はオフになってバラストタンクＢ２の内部への流体の流入は遮断される。このとき、押圧弁１４０はオンになって押圧配管１３０の管路を開放し、押圧配管１３０の管路が開放されることにより、密閉型タンク１５０に貯水された水は押圧配管１３０の管路に沿って塩素注入配管２０に流送される（ステップＳ９０）。
【００７４】
このとき、押圧装置１００が塩素注入配管２０よりも低い位置に設けられていても、密閉型タンク１５０の内部圧力が大気圧よりも高い状態であるため、水は押圧配管１０の管路に沿って塩素注入配管２０に流送可能になる。
【００７５】
一方、水は、塩素注入配管２０の開閉弁４０がオフとなっているため、バラストタンクＢ２に流入することはなく、押圧配管１３０と開閉弁４０との間の塩素注入配管２０内に留まった状態であり、前記塩素注入配管２０の内部に正圧を形成している状態となる。
【００７６】
これにより、バラストタンクＢ２が設けられた爆発危険区域Ａ２から漏泄物が発生しても、塩素注入配管２０に沿って漏泄物が逆流することは発生しない。
【００７７】
また、上述したように、爆発危険区域Ａ２の漏泄物が安全区域Ａ１に逆流する虞がないため、安全区域Ａ１に電気分解装置１０を設けることができ、隔壁１を介して塩素注入配管２０をバラストタンクＢ２に直線状に直結することができて塩素注入流路の長さを最小化させることができるという技術的特徴がある。
【００７８】
このため、塩素注入配管２０を設置しやすく、迂回して設ける必要がないため配管資材があまり要らないことにより設置コストが節約される。
【００７９】
また、塩素注入流路が最小となることにより、バラストタンクＢ２への塩素の注入が速やかに行われるという技術的特徴がある。
【００８０】
以上、本発明は、記載の具体例について詳細に説明したが、本発明の技術的思想の範囲内において種々の変形及び修正が可能であるということは当業者にとって自明であり、このような変形及び修正は特許請求の範囲に属するということはいうまでもない。
【符号の説明】
【００８１】
１      隔壁
１０    電気分解装置
２０    塩素注入配管
３０    逆止弁
４０    開閉弁
１００  押圧装置
１１０  開放型タンク
１１１  流入配管
１１２  流入弁
１２０  水位センサー
１３０  押圧配管
１４０  押圧弁
１５０  密閉型タンク
１６０  圧力センサー
１７０  圧縮空気供給装置
Ａ１    安全区域
Ａ２    爆発危険区域
Ｂ１    オイルタンク
Ｂ２    バラストタンク
Ｂ３    ポンプ室
Ｂ４    燃料タンク
【図１ａ】
0005592036.tif 000002
【図１ｂ】
0005592036.tif 000003
【図２】
0005592036.tif 000004
【図３】
0005592036.tif 000005
【図４】
0005592036.tif 000006
【図５】
0005592036.tif 000007
【図６】
0005592036.tif 000008
【図７】
0005592036.tif 000009
【図８】
0005592036.tif 000010
【図９】
0005592036.tif 000011